(57)【特許請求の範囲】
【請求項１】
操作情報を無線通信によって受信装置へ送信する操作入力送信装置であって、
入力されるアナログ操作に従って、当該アナログ操作に応じたデータを出力するアナログ操作入力部と、
入力されるデジタル操作に従って、当該デジタル操作に応じたデータを出力するデジタル操作入力部と
前記アナログ操作入力部から出力されるデータが、所定の値以内であるか否かを検出する検出部と、
前記検出部において、前記所定の値以内のデータが、所定の期間連続して検出されたか否かを判断する判断部と、
前記アナログ操作入力部から出力されるデータおよび前記デジタル操作入力部から出力されるデータの双方に基づいて、送信フレームを作成する送信フレーム作成部と、
前記送信フレーム作成部で作成された送信フレームを、無線によって受信装置へ送信する送信部と、
前記送信フレーム作成部における送信フレームの作成、および前記送信部への電源供給を、制御する制御部とを備え、
前記制御部は、
前記送信フレーム作成部で送信フレームの作成または当該送信フレームの無線送信が開始されるタイミングで、前記送信部への電源供給を開始させ、
前記送信フレーム作成部で送信フレームの作成が完了し、当該送信フレームの無線送信が完了するタイミングで、前記送信部への電源供給を停止させることに加え、
前記デジタル操作入力部から出力されるデータが無く、かつ、前記所定の値以内のデータが前記所定の期間連続して検出された場合、前記送信フレーム作成部での送信フレーム作成を停止させると共に、前記送信部への電源供給を停止させることを特徴とする、操作入力送信装置。
【請求項２】
前記検出部は、前記アナログ操作入力部から出力されるデータが、アナログ操作の動作原点を基準に予め定めた範囲内にあるか否かを検出することを特徴とする、請求項１に記載の操作入力送信装置。
【請求項３】
操作情報を無線通信によって受信装置へ送信する操作入力送信装置であって、
入力されるアナログ操作に従って、当該アナログ操作に応じたデータを出力するアナログ操作入力部と、
入力されるデジタル操作に従って、当該デジタル操作に応じたデータを出力するデジタル操作入力部と、
前記アナログ操作入力部から出力されるデータおよび前記デジタル操作入力部から出力されるデータを、それぞれサンプリングするサンプリング部と、
前記サンプリング部でサンプリングされたデータに基づいて、送信フレームを作成する送信フレーム作成部と、
前記送信フレーム作成部で作成された送信フレームを、無線によって受信装置へ送信する送信部とを備え、
前記サンプリング部において、前記アナログ操作入力部から出力されるデータのサンプリング間隔は、前記デジタル操作入力部から出力されるデータのサンプリング間隔よりも大きく設定されることを特徴とする、操作入力送信装置。
【発明の詳細な説明】
【０００１】
【発明の属する技術分野】
本発明は、無線方式による操作入力送信装置に関し、より特定的には、入力される操作情報を、無線通信によってパソコンやゲーム機器等へ送信する操作入力送信装置（コントローラやキーボード等）であって、省電力化を図った装置に関する。
【０００２】
【従来の技術】
従来のパソコンやゲーム機器等の操作は、有線方式の操作入力装置を用いて行われるのが一般的である。しかし、有線方式の操作入力装置は、接続コードの長さによって利用範囲が制限される。また、有線方式の操作入力装置を多く接続する場合、接続コードが絡み合って機器周辺が煩雑な状態になる。
そこで近年、操作入力装置と機器本体とを無線通信によって接続する方式が、種々提案されている。
【０００３】
ところが、通信を無線化する場合、操作入力送信装置を内蔵のバッテリを用いて駆動させる必要が生じる。このため、長時間の入力操作を可能にさせるため、操作入力送信装置で消費される電力量を如何に抑えるかが、無線通信方式における新たな課題となっている。
従来、このような操作入力送信装置における省電力化は、例えば特開平５−３１７５２４号公報等において提案されている。
【０００４】
【発明が解決しようとする課題】
しかしながら、上記従来の公報に開示されている技術は、操作入力が無い場合に、操作入力送信装置の一部回路への電源供給を停止（電源オフ）させるものである。このような入力が無い場合に電源オフさせるという単純な制御は、入力の有無が２値で表現されるデジタルデータに対して適用させることは簡単である。だが、入力が連続値で表現されるアナログデータに対して適用させることはできない。例えば、入力値が「０」の時のみ電源オフさせるような制御では、制御の精度に問題が残る。また、入力値が所定値以内の時に電源オフさせる制御にすると、所定値以内の入力が無視されることとなり、入力値が「０」付近での制御感度が悪くなる。例えば、図１０に示すように、従来の技術では、破線で示す連続的なアナログ操作が入力されても、実線に示す制御が行われてしまう。
また、従来の省電力化技術は、操作入力送信装置内のアンプ回路への電源供給を制御するものである。しかし、アンプ回路以外の特定回路（例えば、ＶＣＯ回路やＰＬＬ回路）でも多くの電力を消費しているので、当該特定回路への電源供給も制御するのが好ましい。但し、省電力化させる回路によっては、その動作の安定化させるため、電源供給を開始（電源オン）させるタイミングを十分考慮する必要がある。
【０００５】
それ故、本発明の目的は、デジタルデータのみならずアナログデータに対して効果的な省電力化を実現し、またアンプ回路以外の特定回路への電源供給をも最適に制御することで、更なる省電力化を実現する無線方式による操作入力送信装置を提供することである。
【０００６】
【課題を解決するための手段および発明の効果】
第１の発明は、操作情報を無線通信によって受信装置へ送信する操作入力送信装置であって、
入力される操作に従って、当該操作に応じたデータを出力する操作入力部と、
操作入力部から出力されるデータに基づいて、送信フレームを作成する送信フレーム作成部と、
送信フレーム作成部で作成された送信フレームを、無線によって受信装置へ送信する送信部と、
送信部への電源供給を制御する制御部とを備え、
送信部は、
送信フレーム作成部で作成された送信フレームに対して、所定の変調処理を行う変調部と、
変調部で変調された送信フレームを増幅する増幅部とを含み、
制御部は、
送信フレーム作成部で送信フレームの作成が開始されるタイミングで、変調部への電源供給を開始させ、
作成された送信フレームの無線送信が開始されるタイミングで、増幅部への電源供給を開始させ、
送信フレーム作成部で送信フレームの作成が完了し、当該送信フレームの無線送信が完了するタイミングで、変調部および増幅部への電源供給を停止させることを特徴とする。
【０００７】
上記のように、第１の発明によれば、変調部および増幅部への電源供給のタイミングを制御して、送信フレームが作成されない期間には電源供給を停止させるようにする。これにより、装置の省電力化を効果的に図ることができる。
【０００８】
第２の発明は、第１の発明に従属する発明であって、
作成された送信フレームの無線送信が開始されるタイミングは、変調部の動作が安定したタイミングであることを特徴とする。
【０００９】
上記のように、第２の発明によれば、立ち上がりに時間が必要な変調部に対しては、その動作が安定した後で送信フレームが無線送信できるように、電源供給のタイミングを制御する。
【００１０】
第３の発明は、第２の発明に従属する発明であって、
変調部は、
所定の無線周波数のキャリアを発振させ、当該キャリアを送信フレーム作成部で作成された送信フレームで変調する電圧制御発振部（ＶＣＯ）と、
電圧制御発振部から発振されるキャリアが、システムクロックに同期するように制御するＰＬＬ処理部とを含む。
【００１１】
上記のように、第３の発明は、変調部の典型的な構成を示したものである。この構成である場合、制御部は、送信フレーム作成部において送信フレームの先頭の作成が完了するまでにキャリア同期が終了するように、電源供給のタイミングを制御する。
【００１２】
第４の発明は、操作情報を無線通信によって受信装置へ送信する操作入力送信装置であって、
入力されるアナログ操作に従って、当該アナログ操作に応じたデータを出力するアナログ操作入力部と、
アナログ操作入力部から出力されるデータが、所定の値以内であるか否かを検出する検出部と、
検出部において、所定の値以内のデータが、所定の期間連続して検出されたか否かを判断する判断部と、
アナログ操作入力部から出力されるデータに基づいて、送信フレームを作成する送信フレーム作成部と、
送信フレーム作成部で作成された送信フレームを、無線によって受信装置へ送信する送信部と、
送信フレーム作成部における送信フレームの作成、および送信部への電源供給を、制御する制御部とを備え、
制御部は、
送信フレーム作成部で送信フレームの作成または当該送信フレームの無線送信が開始されるタイミングで、送信部への電源供給を開始させ、
送信フレーム作成部で送信フレームの作成が完了し、当該送信フレームの無線送信が完了するタイミングで、送信部への電源供給を停止させることに加え、
所定の値以内のデータが所定の期間連続して検出された場合、送信フレーム作成部での送信フレーム作成を停止させると共に、送信部への電源供給を停止させることを特徴とする。
【００１３】
上記のように、第４の発明によれば、アナログ操作の入力値が所定の値以内になっても、所定の期間連続させて送信フレームの無線送信を行う。これにより、入力値が「０」付近での制御感度の悪化を防ぐことができる。また、アナログ操作の入力が所定の期間以上無かった場合には、送信部への電源供給を停止して、装置の省電力化を効果的に図ることができる。
【００１４】
第５の発明は、第４の発明に従属する発明であって、
検出部は、アナログ操作入力部から出力されるデータが、アナログ操作の動作原点を基準に予め定めた範囲内にあるか否かを検出することを特徴とする。
【００１５】
上記のように、第５の発明によれば、所定の値をアナログ操作の動作原点を基準に予め定めた範囲内としているので、制御によって生じる誤差を最小限に抑えることが可能となる。
【００１６】
第６の発明は、第４の発明に従属する発明であって、
入力されるデジタル操作に従って、当該デジタル操作に応じたデータを出力するデジタル操作入力部をさらに備え、
送信フレーム作成部は、アナログ操作入力部から出力されるデータおよびデジタル操作入力部から出力されるデータの双方に基づいて、送信フレームを作成し、
制御部は、デジタル操作入力部から出力されるデータが無く、かつ、所定の値以内のデータが所定の期間連続して検出された場合、送信フレーム作成部での送信フレーム作成を停止させると共に、送信部への電源供給を停止させることを特徴とする。
【００１７】
上記のように、第６の発明によれば、アナログ操作およびデジタル操作のいずれの入力にも対応して、入力値が「０」付近での制御感度の悪化を防ぐと共に、装置の省電力化を効果的に図ることができる。
【００１８】
第７の発明は、操作情報を無線通信によって受信装置へ送信する操作入力送信装置であって、
入力されるアナログ操作に従って、当該アナログ操作に応じたデータを出力するアナログ操作入力部と、
入力されるデジタル操作に従って、当該デジタル操作に応じたデータを出力するデジタル操作入力部と、
アナログ操作入力部から出力されるデータおよびデジタル操作入力部から出力されるデータを、それぞれサンプリングするサンプリング部と、
サンプリング部でサンプリングされたデータに基づいて、送信フレームを作成する送信フレーム作成部と、
送信フレーム作成部で作成された送信フレームを、無線によって受信装置へ送信する送信部とを備え、
サンプリング部において、アナログ操作入力部から出力されるデータのサンプリング間隔は、デジタル操作入力部から出力されるデータのサンプリング間隔よりも大きく設定されることを特徴とする。
【００１９】
上記のように、第７の発明によれば、デジタルデータのサンプリング処理よりも消費電力が大きい、アナログデータのサンプリング処理のサンプリング間隔を制御する。これにより、装置の省電力化を効果的に図ることができる。
【００２０】
【発明の実施の形態】
図１は、本発明の一実施形態に係る無線方式による操作入力送信装置が用いられる情報処理システムの環境の一例を示すブロック図である。図１において、本実施形態の情報処理システムは、操作入力送信装置１と、受信装置２とが、無線通信によって接続されて構成される。操作入力送信装置１は、コントローラやキーボード等であって、十字キーや押しボタン等の機構部分である送信機１０と、送信機１０を介して入力された操作内容に対応するデータを、無線によって送信する送信ユニット２０とを、備える。受信装置２は、送信ユニット２０から無線送信されるデータを受信する受信ユニット４０と、受信ユニット４０が受信したデータに基づいて予め定められた処理を行う受信機６０とを備える。
【００２１】
まず、図２をさらに参照して、本発明の操作入力送信装置１を構成する各部を説明する。
図２は、図１の操作入力送信装置１の詳細な構成の一例を示すブロック図である。図２において、送信機１０は、デジタルデータ入力部１１と、アナログデータ入力部１２とを備える。送信ユニット２０は、Ａ／Ｄ変換部２１と、コントローラインタフェース２２と、バッファ２３と、ベースバンド処理部２４と、プロトコルコントローラ２５と、電圧制御発振器（ＶＣＯ）２６と、ＰＬＬ処理部２７と、アンプ２８と、バンドパスフィルタ（ＢＰＦ）２９と、スイッチ３０と、発振器３１と、バッテリ３２とを備える。
【００２２】
操作入力送信装置１において、デジタルデータ入力部１１には、デジタル的な操作に関するデータが入力される。アナログデータ入力部１２には、アナログ的な操作に関するデータが入力される。デジタルデータ入力部１１から出力されるデジタルデータは直接、アナログデータ入力部１２から出力されるアナログデータは、Ａ／Ｄ変換部２１にてデジタルデータに変換された後、コントローラインタフェース２２にそれぞれ入力される。
【００２３】
コントローラインタフェース２２は、プロトコルコントローラ２５からの指示に従って、入力されるデータ（デジタルデータおよびデジタル化されたアナログデータ）をそれぞれサンプリングして、バッファ２３へ書き込む。バッファ２３は、データを一時格納するためのバッファである。ベースバンド処理部２４は、バッファ２３に格納されているデータを用いて送信フレームを作成し、当該送信フレームをスペクトル拡散方式の１つである直接拡散方式によって変調（ＤＳＳＳ変調）して出力する。プロトコルコントローラ２５は、コントローラインタフェース２２、バッファ２３、ベースバンド処理部２４および送信チャネル周波数、並びにＶＣＯ２６、ＰＬＬ処理部２７およびアンプ２８への電源供給を制御するステートマシンである。典型的には、Ａ／Ｄ変換部２１、コントローラインタフェース２２、バッファ２３、ベースバンド処理部２４およびプロトコルコントローラ２５は、１つのベースバンド−ＩＣ（集積回路）によって実現される。スイッチ３０は、データを送信させる無線チャネル（Ｃｈａｎｎｅｌ＿Ｉｎ）をユーザに決定させるためのスイッチ（例えば、ロータリースイッチ）であり、複数の異なる周波数の無線チャネルが選択できるようになっている。
【００２４】
ＶＣＯ２６は、予め設定されたキャリア周波数の発振と、ベースバンド処理部２４から出力される送信フレームによる当該キャリア周波数の変調との、２つの機能を有する。ＰＬＬ処理部２７は、ＶＣＯ２６から発振されるキャリア周波数が、発振器３１から与えられるシステムクロックに同期するように制御する。なお、キャリア周波数の値は、プロトコルコントローラ２５から与えられる無線チャネルの設定値（Ｃｈａｎｎｅｌ＿Ｏｕｔ）によって決められる。ＶＣＯ２６から出力される変調キャリア周波数は、アンプ２８で増幅され、ＢＰＦ２９で帯域制限された後、アンテナを介して受信ユニット４０へ向けて無線送信される。典型的には、ＶＣＯ２６、ＰＬＬ処理部２７、アンプ２８およびＢＰＦ２９は、１つのＲＦ−ＩＣによって実現される。バッテリ３２は、操作入力送信装置１を駆動させるための電源を供給する内蔵バッテリである。
【００２５】
このように構成された操作入力送信装置１において、省電力化を実現するために本発明が用いた特徴的な手法は、次の３つの制御である。
１．アンプ２８に加えて、ＶＣＯ２６およびＰＬＬ処理部２７への電源供給を制御する（電源制御）。
２．デジタル入力についてはデータが入力されたか否かで、アナログ入力については一定期間連続して規定値以内（アナログ操作の動作原点から規定範囲内）のデータが入力されたか否かで、操作入力の有無を判断する（操作入力制御）。
３．デジタル化されたアナログデータのサンプリング間隔を、デジタルデータのサンプリング間隔よりも大きくする（サンプリング制御）。
以下、それぞれの制御を順に説明する。
【００２６】
（１）電源制御
電源制御は、プロトコルコントローラ２５によって、アンプ２８、ＶＣＯ２６およびＰＬＬ処理部２７に対して行われる。以下、図３および図４をさらに参照して、この電源制御を説明する。
図３は、プロトコルコントローラ２５が行う電源制御処理のフローチャートである。図４は、プロトコルコントローラ２５が行う電源制御処理を説明するタイミング図である。
【００２７】
操作入力送信装置１の電源が入っている時、アンプ２８、ＶＣＯ２６およびＰＬＬ処理部２７を除く全ての構成には常時、アンプ２８、ＶＣＯ２６およびＰＬＬ処理部２７にはプロトコルコントローラ２５の制御に従って、バッテリ３２から電源がそれぞれ供給される。操作入力送信装置１の電源が入れられた直後は、プロトコルコントローラ２５は、アンプ２８、ＶＣＯ２６およびＰＬＬ処理部２７への電源供給を停止（電源オフ）させておく（ステップＳ３０１）。次に、プロトコルコントローラ２５は、後述する操作入力制御の判断に基づいて、操作入力が有る場合にデータ送信処理の実行に移る（ステップＳ３０２）。
【００２８】
操作入力有りと判断された場合、プロトコルコントローラ２５は、バッファ２３に格納されたデータを用いて送信フレームの作成を開始するように、ベースバンド処理部２４に指示する（ステップＳ３０３）。同時に、プロトコルコントローラ２５は、送信フレーム作成を開始するタイミングでＶＣＯ２６およびＰＬＬ処理部２７への電源供給を開始（電源オン）させる（ステップＳ３０４）。ＶＣＯ２６およびＰＬＬ処理部２７において、ロック動作を開始してから、発振器３１から出力されるクロックにＶＣＯ２６から発振されるキャリア周波数を同期（ロック）させるまでに、時間がかかる。この時間は、送信フレーム作成期間よりも長い。よって、送信フレームの作成とＶＣＯ２６およびＰＬＬ処理部２７への電源供給とを同時に開始し、ＶＣＯ２６およびＰＬＬ処理部２７のロックが完了したら（ステップＳ３０５）、アンプ２８の電源をオンし（ステップＳ３０６）、送信フレームの無線送信を開始する（ステップＳ３０７）。ベースバンド処理部２４において、全ての送信フレームの無線送信が完了すると、プロトコルコントローラ２５は、アンプ２８、ＶＣＯ２６およびＰＬＬ処理部２７への電源供給を停止させる（ステップＳ３０８，Ｓ３０９）。
上記ステップＳ３０３〜Ｓ３０９の処理は、操作入力が有る毎に繰り返し行われる。
【００２９】
このように、本発明により、データ送信が行われない期間には、アンプ２８に加えて、ＶＣＯ２６およびＰＬＬ処理部２７への電源供給を停止させることができる。実際に設計された回路での具体例を示すと、アンプ２８の消費電流は１．５ｍＡであり、ＶＣＯ２６およびＰＬＬ処理部２７の消費電流は４．５ｍＡである。従って、ＶＣＯ２６およびＰＬＬ処理部２７への電源供給を停止させることによる省電力効果は大きい。
【００３０】
（２）操作入力制御
操作入力制御は、プロトコルコントローラ２５によって、デジタル入力についてはデータが入力されたか否かで、アナログ入力については一定期間連続して規定値以内（アナログ操作の動作原点から規定範囲内）のデータが入力されたか否かで行われる。以下、図５〜図８をさらに参照して、この操作入力制御を説明する。
図５は、プロトコルコントローラ２５が行う操作入力制御処理のフローチャートである。この図５は、図３におけるステップＳ３０２の処理を詳細に示したフローチャートである。図６〜図８は、プロトコルコントローラ２５が行う操作入力制御処理を説明するタイミング図である。
【００３１】
図５を参照して、ＶＣＯ２６およびＰＬＬ処理部２７への電源供給が停止された後（図３のステップＳ３０１）、プロトコルコントローラ２５は、送信ストップフラグを「１」に、送信ストップカウンタのカウント値Ｎを「０」に初期化する（ステップＳ５０１）。ここで、送信ストップフラグとは、データ送信をするか否かの判断に使用されるフラグである。本実施例では、送信ストップフラグが「０」の場合にデータ送信が行われ、「１」の場合にデータ送信が行われないように、予め定められている。また、送信ストップカウンタとは、一定期間を計時する（一定のサンプリング数をカウントする）ためのカウンタであり、得られるカウント値Ｎは、予め定めた設定値Ｔとの比較に用いられる。なお、設定値Ｔは、操作入力送信装置１に与える性能等に応じて自由に設定することが可能である。例えば、アナログ入力されるデータのサンプリング間隔が１６ｍｓである場合に、約１秒間連続してデータ送信を行いたい場合には、設定値Ｔを「６３（≒１／０．０１６）」とすればよい
【００３２】
初期化が完了すると、プロトコルコントローラ２５は、まず、コントローラインタフェース２２にデジタルデータをサンプリングさせる（ステップＳ５０２）。そして、プロトコルコントローラ２５は、サンプリングによって得られたデジタルデータの値に従って、デジタル入力が有るか否かを判断する（ステップＳ５０３）。このステップＳ５０３においてデジタル入力が有ると判断した場合には、プロトコルコントローラ２５は、送信ストップフラグに「０」を入力し、送信ストップカウンタのカウント値Ｎをリセットする（ステップＳ５０４）。
次に、プロトコルコントローラ２５は、コントローラインタフェース２２にデジタル化されたアナログデータをサンプリングさせる（ステップＳ５０５）。そして、プロトコルコントローラ２５は、サンプリングによって得られたデジタル化されたアナログデータの値、すなわち、入力値の動作原点に対する変化量の絶対値が、予め定めた規定値Ｘ以内か否かを判定する（ステップＳ５０６）。このステップＳ５０６においてデジタル化されたアナログデータの値が規定値Ｘ以内でないと判定した場合、プロトコルコントローラ２５は、アナログ入力が有ると判断し、送信ストップフラグに「０」を入力し、送信ストップカウンタのカウント値Ｎをリセットする（ステップＳ５０７）。一方、ステップＳ５０６においてデジタル化されたアナログデータの値が規定値Ｘ以内であると判定した場合、プロトコルコントローラ２５は、送信ストップカウンタのカウント値Ｎをインクリメントした後（ステップＳ５０８）、このカウント値Ｎと設定値Ｔとを比較する（ステップＳ５０９）。そして、プロトコルコントローラ２５は、カウント値Ｎが設定値Ｔ以上である場合のみ、アナログ入力が無いと判断して、送信ストップフラグに「１」を入力する（ステップＳ５１０）。
最後に、プロトコルコントローラ２５は、送信ストップフラグを確認し、フラグが「０」である場合に、上述した電源制御を行ったデータ送信（図３のステップＳ３０３〜Ｓ３０９）を実行させる（ステップＳ５１１）。
【００３３】
図６は、デジタルデータ入力に対するデータ送信の有無を説明するタイミング図である。図６に示すように、デジタル入力が有る場合には、送信ストップフラグが「０」に、送信ストップカウンタのカウント値Ｎが「０」に設定されるので（ステップＳ５０４）、必ずデータ送信が行われる。
図７は、アナログデータ入力に対するデータ送信の有無を説明するタイミング図である。図７に示すように、アナログ入力が有る場合には、その入力値が規定値Ｘ以上の時は必ず、またその入力値が規定値Ｘ以内になってもカウント値Ｎが設定値Ｔ以上になるまでは連続して、データ送信が行われる。なお、図７では、サンプリング回数が５回まで連続してデータ送信が行われるように、設定値Ｔが設定されている場合を示している。また、図７では、アナログデータの入力値を絶対値で表現している。
図８は、デジタルデータ入力およびアナログデータ入力の双方に対するデータ送信の有無を説明するタイミング図である。図８に示すように、デジタル入力が有る毎に送信ストップカウンタがリセットされるので、アナログデータの入力値が規定値Ｘ以内になってからも、図７よりも長く連続してデータ送信が行われることとなる。
【００３４】
このように、本発明は、アナログデータの入力値が規定値Ｘ以内になっても、ある程度連続させてデータ送信を行う。これにより、入力値が「０」付近での制御感度の悪化を防ぐことができる。
【００３５】
（３）サンプリング制御
サンプリング制御は、デジタル化されたアナログデータのサンプリング間隔を、デジタルデータのサンプリング間隔よりも大きくするように、プロトコルコントローラ２５がコントローラインタフェース２２に指示することで行われる。
このようにサンプリング間隔を制御する理由は、デジタルデータのサンプリング処理よりもデジタル化されたアナログデータのサンプリング処理の方が、消費電力が大きいからである。実際に設計された回路での具体例を示すと、デジタルデータのサンプリング時の消費電流は１．４ｍＡであるが、デジタル化されたアナログデータのサンプリング時の消費電流は３．４ｍＡである。従って、デジタル化されたアナログデータのサンプリング間隔を大きくすればするほど、省電力効果が大きくなるのである。なお、デジタル化されたアナログデータのサンプリング間隔をどの程度大きくするかは、アナログ操作処理の遅延を考慮した上で、使用する受信装置２の特性に基づいて決定すればよい。
【００３６】
図９に、デジタルデータのサンプリング間隔を４ｍｓと、デジタル化されたアナログデータのサンプリング間隔を１６ｍｓとした場合の、プロトコルコントローラ２５が行う電源制御処理のフローチャートを示す。なお、図９において、図５で説明した処理と同一の処理を行うステップには、同一のステップ番号を付している。
図９では、図５に対してステップＳ９０２〜Ｓ９０４をさらに挿入し、４回のデジタルデータのサンプリングに対して、１回のデジタル化されたアナログデータのサンプリングを行うようにしている。なお、デジタルカウンタは、デジタルデータのサンプリング回数を計数するためのカウンタである。
【００３７】
以上のように、本発明の一実施形態に係る無線方式による操作入力送信装置によれば、デジタルデータのみならずアナログデータに対して効果的な省電力化を実現し、またアンプ回路以外のＶＣＯ回路やＰＬＬ回路への電源供給を最適に制御させることで、更なる省電力化を実現することができる。
【図面の簡単な説明】
【図１】本発明の一実施形態に係る無線方式による操作入力送信装置が用いられる情報処理システムの環境の一例を示すブロック図である。
【図２】図１の操作入力送信装置１の詳細な構成の一例を示すブロック図である。
【図３】プロトコルコントローラ２５が行う電源制御処理のフローチャートである。
【図４】プロトコルコントローラ２５が行う電源制御処理を説明するタイミング図である。
【図５】プロトコルコントローラ２５が行う操作入力制御処理のフローチャートである。
【図６】プロトコルコントローラ２５が行う操作入力制御処理を説明するタイミング図である。
【図７】プロトコルコントローラ２５が行う操作入力制御処理を説明するタイミング図である。
【図８】プロトコルコントローラ２５が行う操作入力制御処理を説明するタイミング図である。
【図９】プロトコルコントローラ２５が行う電源制御処理のフローチャートである。
【図１０】入力値が所定値以内の時に電源供給を停止させる従来の技術における制御の不具合を説明する図である。
【符号の説明】
１…操作入力送信装置
２…受信装置
１０…送信機
１１…デジタルデータ入力部
１２…アナログデータ入力部
２０…送信ユニット
２１…Ａ／Ｄ変換部
２２…コントローラインタフェース
２３…バッファ
２４…ベースバンド処理部
２５…プロトコルコントローラ
２６…電圧制御発振器（ＶＣＯ）
２７…ＰＬＬ処理部
２８…アンプ
２９…バンドパスフィルタ（ＢＰＦ）
３０…スイッチ
３１…発振器
３２…バッテリ
４０…受信ユニット
６０…受信機
【図１】
0004443745.tif 000002
【図２】
0004443745.tif 000003
【図３】
0004443745.tif 000004
【図４】
0004443745.tif 000005
【図５】
0004443745.tif 000006
【図６】
0004443745.tif 000007
【図７】
0004443745.tif 000008
【図８】
0004443745.tif 000009
【図９】
0004443745.tif 000010
【図１０】
0004443745.tif 000011